(57)【要約】【目的】扱い易い、人の動的なバランス機能を測定するフリーストップ機構及びバランス測定器を提供すること。【構成】ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）とにより成り、水平部材（４）と床（２６）面間の高さを調節自在に構成し、垂直フレーム（３）の昇降パイプ（７）と固定パイプ（６）との間に摩擦抵抗を発生する摺動抵抗部材（８）が昇降パイプ（７）側に取着されることを特徴とするフリーストップ機構及びバランス測定器である。【選択図】　　　図１
2004065303.tif 000002
【特許請求の範囲】
【請求項１】
長さ調節自在な垂直フレーム（３）は固定パイプ（６）に昇降パイプ（７）が内嵌されてなり、
前記昇降パイプ（７）と固定パイプ（６）との間に摩擦抵抗を発生する摺動抵抗部材（８）が昇降パイプ（７）側に取着されることを特徴とするフリーストップ機構。
【請求項２】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
前記垂直フレーム（３）は固定パイプ（６）に昇降パイプ（７）が内嵌されて長さ調節自在であり、前記昇降パイプ（７）と固定パイプ（６）との間に摩擦抵抗を発生する摺動抵抗部材（８）が昇降パイプ（７）側に取着されることを特徴とするフリーストップ機構。
【請求項３】
摺動抵抗部材（８）の摩擦側の面に摩擦部材（３１）が取着されたことを特徴とする請求項２記載のバランス測定器。
【請求項４】
固定パイプ（６）の内面に、ガイドスペーサー（３２）が設けられたことを特徴とする請求項２乃至３記載のバランス測定器。
【請求項５】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
前記水平移動部材（５）には該水平移動部材（５）の移動量を計測する計測部（１２）が設けられ、該計測計測部（１２）には、計測開始後、計測部（１２）の移動が停止すると計時開始し、所定時間が経過すると自動的に、移動に係る計測値を確定するタイマー（３７）が設けられていることを特徴とするバランス測定器。
【請求項６】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
垂直フレーム（３）の頂部に取着具（１０）が取着され、取着具（１０）に取着された軸（２１）に水平部材（４）の基方部が回動可能に軸支され、
取着具（１０）には、水平部材（４）に掛止して水平部材（４）を水平状態に調節・保持するレール固定ノブ（２０）が設けられ、
水平部材（４）は垂下状態に折り畳み収納できることを特徴とするバランス測定器。
【請求項７】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
前記水平移動部材（５）にアタッチメント（１１）が設けられ、水平移動部材（５）の移動量を計測する計測部（１２）に、計測を開始する開始スイッチ（１６）、及び／又は、計測値を確定する確定スイッチ（１７）が設けられ、
前記確定スイッチ（１７）は、計測部（１２）上の、アタッチメント（１１）の移動方向とは異なる方向に押して作動させる位置に設けられたことを特徴とするバランス測定器。
【請求項８】
アタッチメント（１１）は、該アタッチメント（１１）に過負荷が加わると計測部筐体（１２ａ）から外れるか、又は、曲折することを特徴とする請求項７記載のバランス測定器。
【請求項９】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
前記水平移動部材（５）に該水平移動部材（５）の移動量を計測する計測部（１２）が設けられ、該計測部（１２）は、測定終了後に、今回測定結果、及び、今回測定結果と予め記憶された比較評価する基準値とを比較し、バランス機能に関する評価結果を表示するバランス測定器。
【請求項１０】
ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、
定位置に立つ被測定者が、水平移動部材（５）に沿って水平挙上した手で、立位姿勢のバランスを崩す直前まで水平移動部材（５）を前方に移動させ、その移動距離からバランスを測定するバランス測定器（１）であり、
前記ベース（２）の形状は、垂直フレーム（３）の下端から前方へ向かう前後方向脚フレーム（２２ａ）と、垂直フレーム（３）の下端から左右方向に向かう左右方向脚フレーム（２２ｂ）とで、略Ｔ字状に形成されることを特徴とするバランス測定器。
【発明の詳細な説明】
【０００１】
【産業上の利用分野】
本発明は、人のバランス機能を測定するフリーストップ機構及びバランス測定器に関する。
【０００２】
【従来の技術】
機器の高さを調節する従来の技術として、特開平１０−９４８７号公報に、取付けフランジ部と、筒状部と、スリットと、摺動部材等を備えた高さ調節装置が開示されている。
【０００３】
【発明が解決しようとする課題】
前記従来技術は、摺動部材を弾持片で押圧し擦るので、弾持片によって摺動部材に傷が付き美観を損ね、又、摺動部材に潤滑剤を付けると摺動部材に触れると潤滑剤が人体又は衣服に付着しそれが汚れるという欠点がある。
【０００４】
本発明の目的は、扱い易い、人の動的なバランス機能を測定するフリーストップ機構及びバランス測定器を提供することにある。
【０００５】
【課題を解決するための手段】
即ち本発明は、長さ調節自在な垂直フレーム（３）は固定パイプ（６）に昇降パイプ（７）が内嵌されてなり、前記昇降パイプ（７）と固定パイプ（６）との間に摩擦抵抗を発生する摺動抵抗部材（８）が昇降パイプ（７）側に取着されることを特徴とするフリーストップ機構４３である。
又、ベース（２）と、ベース（２）に立設された垂直フレーム（３）と、垂直フレーム（３）に関連して設けられた水平部材（４）と、水平部材（４）に関連して、被測定者の手により移動容易に水平部材（４）に設けられた水平移動部材（５）より成り、定位置に立つ被測定者が、水平移動部材（５）に沿って水平挙上した手で、立位姿勢のバランスを崩す直前まで水平移動部材（５）を前方に移動させ、その移動距離からバランス機能を測定するバランス測定器（１）であり、前記垂直フレーム（３）は固定パイプ（６）に昇降パイプ（７）が内嵌されて長さ調節自在であり、前記昇降パイプ（７）と固定パイプ（６）との間に摩擦抵抗を発生する摺動抵抗部材（８）が昇降パイプ（７）側に取着される。
更に、摺動抵抗部材（８）の摩擦側の面に摩擦部材（３１）が取着される。
更に又、固定パイプ（６）の内面に、ガイドスペーサー（３２）が設けられる。
又、水平移動部材（５）には該水平移動部材（５）の移動量を計測する計測部（１２）が設けられ、該計測部（１２）には、計測開始後、計測部（１２）の移動が停止すると計時開始し、所定時間が経過すると自動的に、移動に係る計測値を確定するタイマー（３７）が設けられている。
更に、垂直フレーム（５）の頂部に取着具（１０）が取着され、取着具（１０）に取着された軸（２１）に水平部材（４）の基方部が回動可能に軸支され、取着具（１０）には、水平部材（４）に掛止して水平部材（４）を水平状態に調節・保持するレール固定ノブ（２０）が設けられ、水平部材（４）は垂下状態に折り畳み収納できる。
更に又、水平移動部材（５）にアタッチメント（１１）が設けられ、水平移動部材（５）の移動量を計測する計測部（１２）に、計測を開始する開始スイッチ（１６）、及び／又は、計測値を確定する確定スイッチ（１７）が設けられ、前記確定スイッチ（１７）は、計測部（１２）上の、アタッチメント（１１）の移動方向とは異なる方向に押して作動させる位置に設けられる。
又、前記アタッチメント（１１）は、該アタッチメント（１１）に過負荷が加わると計測部筐体（１２ａ）から外れるか、又は、曲折する。
更に、水平移動部材（５）の移動量を計測する計測部（１２）は、測定終了後に、今回測定結果、及び、今回測定結果と予め記憶された比較評価する基準値とを比較し、バランス機能に関する評価結果を表示する。
更に又、ベース（２）の形状は、垂直フレーム（３）の下端から前方へ向かう前後方向脚フレーム（２２ａ）と、垂直フレーム（３）の下端から左右方向に向かう左右方向脚フレーム（２２ｂ）とで、略Ｔ字状に形成される。
【０００６】
【作用】
本発明のフリーストップ機構４３は、昇降パイプ７が固定パイプ６に内嵌され、昇降パイプ７側に摺動抵抗部材８が設けられてなる長さ調節自在な垂直フレーム３であり、扱い者は、垂直フレーム３の長さを変更後、掛止操作をすることなく当該長さを固定できる。
【０００７】
本発明のバランス測定器１を用いて被測定者のバランス機能を測定する。
ベース２は、垂直フレーム３を支持する。ベース２に立設された垂直フレーム３は、高さ調節自在であるから、水平部材４は高さ調節自在である。水平部材４に関連して設けられた水平移動部材５は被測定者の手により容易に移動する。
【０００８】
定位置に立つ被測定者が、水平挙上した手で立位姿勢のバランスを崩す直前まで水平移動部材５を前方に移動させ、その移動距離から動的なバランス機能を測定する。
【０００９】
垂直フレーム３の昇降パイプ７と固定パイプ６との間にあって昇降パイプ７側に設けられた摺動抵抗部材８は、手で引き上げられ又は押し下げられた昇降パイプ７を、手を離した位置に止め、フリーストップを呈する。水平部材４は床（２６）面からの高さがフリーストップに調節自在である。
【００１０】
摺動抵抗部材８の摩擦側の面に取着された摩擦部材３１は、固定パイプ６に当接し安定した摩擦力を生じ、固定パイプ６に対して昇降パイプ７の下降を止め、フリーストップを現わす。
【００１１】
昇降パイプ７と固定パイプ６との間に有って、固定パイプ６側に設けたガイドスペーサー３２は、昇降パイプ７の揺れを防止し、昇降パイプ７の昇降時にも振動を防ぐ。
【００１２】
計測部１２が停止するとタイマー３７が計時作動する。タイマー３７が計時作動後、所定時間が経過するとタイマー３７が測定部に働きかけ、計測値を確定する。
【００１３】
昇降パイプ７の頂部に取着された取着具１０の軸２１は、水平部材４を回動可能に支持する。
レール固定ノブ２０は、水平部材４の後端に掛け止め水平部材４を水平状態に保持する。収納する時は、レール固定ノブ２０を水平部材４の後端から外し、垂下状態に折り畳み収納する。
【００１４】
計測部１２の側面に設けられる開始スイッチ１６を、アタッチメント１１の移動方向とは異なる方向に押し、原点をリセットすると同時に、計測を開始する。計測部１２の側面に設けられる確定スイッチ１７を、アタッチメント１１の移動方向とは異なる方向に押し、計測値を確定する。
【００１５】
計測部筐体１２ａの左右にそれぞれ突設されたアタッチメント１１に過負荷が加わると該アタッチメント１１は、計測部筐体１２ａから外れるか、又は、計測部筐体１２ａの付け根で曲折し、アタッチメント１１や計測部筐体１２ａ等の破損を防ぐ。
【００１６】
計測部１２は、測定終了後に、今回測定結果、及び、今回測定結果と予め記憶された比較評価する基準値とを比較し、バランス機能に関する評価結果を表示する。
【００１７】
略Ｔ字状に形成されるベース２は、垂直フレーム３の下端にあって該垂直フレーム３を支持する。前後方向脚フレーム２２ａはバランス測定器の前後方向への転倒を防ぎ、左右方向脚フレーム２２ｂはバランス測定器の前後方向への転倒を防ぐ。測定中に、被測定者が前に足を踏み出しても、前後方向脚フレーム２２ａが中央に有るので、前後方向脚フレーム２２ａを踏む可能性は少ない。
【００１８】
【実施例】
図１に本発明の実施例のフリーストップ機構４３及びバランス測定器１を示している。
実施例は、床２６に置かれたベース２と、ベース２に立設され高さ調節自在な垂直フレーム３と、垂直フレーム３に取着された水平部材４と、水平部材４に関連して、被測定者の手により移動容易に水平部材４に設けられた水平移動部材５とから構成される。
【００１９】
定位置に立つ被測定者が、水平挙上した手で立位姿勢のバランスを崩す直前まで水平移動部材５を前方に移動させ、その移動距離からバランス機能が測定される。
【００２０】
垂直フレーム３は、ベース２に立設される。ベース２の形状は、垂直フレーム３の下端から前方へ向かう前後方向脚フレーム２２ａと、垂直フレーム３の下端から左右方向に向かう左右方向脚フレーム２２ｂとで、略Ｔ字状に形成される。前後方向脚フレーム２２ａ及び左右方向脚フレーム２２ｂの下部にはそれぞれアジャスター２３が設けられる。
垂直フレーム３は、固定パイプ６と、固定パイプ６内に嵌り昇降可能な昇降パイプ７とから構成される。
【００２１】
垂直フレーム３には、フリーストップ機構４３が構成される。即ち、固定パイプ６と昇降パイプ７の間にあって、摩擦（＝摺動抵抗）を生じさせ昇降パイプ７の上下方向移動を止める摺動抵抗部材８が昇降パイプ７の下部に設けられ、昇降パイプ７を固定パイプ６に、昇降パイプ７及び該パイプ７の付属物の自重で落下しないように固定する機構である。
【００２２】
摺動抵抗部材８の具体例は、板バネでなるフリーストップバネ３０である。フリーストップバネ３０は、固定パイプ６と昇降パイプ７の隙間に設けられ、長手方向の中央が外筒の内壁に当接するように湾曲している。
【００２３】
フリーストップバネ３０の摩擦側面の当接部分に摩擦部材３１が取着される。摩擦部材３１は、固定パイプ６の内壁面にフリーストップバネ３０により押圧され、内壁面に対して昇降パイプ７の下降を阻止できる適宜な摩擦抵抗を生じている。水平部材４の高さ調節が、フリーストップ状態に行なえる。
【００２４】
固定パイプ６の内部と昇降パイプ７の内部にわたって、昇降パイプ７を押上げ、昇降パイプ７、水平部材４及び水平移動部材５の重量を補正する付勢部材９（＝具体例ではコイルバネ）が設けられる。付勢部材９はベース２と昇降パイプ７とに挟まれ、ベース２に立設された補助バネロッド２５に外嵌される。
【００２５】
フリーストップバネ３０が有する摩擦抵抗に、付勢部材９が有する重量補正作用が加わり、水平部材４の高さ調節が、フリーストップ状態に一層確実に行なえる。
【００２６】
固定パイプ６と昇降パイプ７との間にあって、固定パイプ６の頂部の内壁に、固定パイプ６に内嵌された昇降パイプ７の外側面に接触し、昇降パイプ７の横揺れを防止するガイドスペーサー３２が設けられる。
ガイドスペーサー３２は、固定パイプ６に取着する取着部３３と、ガイド部３５を昇降パイプ７に押し付け昇降パイプ７が昇降する際の振動を吸収する弾性材３４と、ガイド部３５とからなる。
【００２７】
昇降パイプ７の頂部に取着具１０が取着され、昇降パイプ７の側面には高さを示す垂直目盛２９が設けられる。
【００２８】
水平部材４は、垂直フレーム３の頂部に取着された取着具１０で回動固定可能に水平に取着される。
取着具１０の軸２１に水平部材４の基部４ａが軸支される。水平部材４の基端４ｂには溝部４ｄが形成される。
取着具１０に回動可能に水平方向にノブ取付部材４０が設けられる。
前記溝部４ｄに掛け止め、水平部材４を水平状態に調節・保持するレール固定ノブ２０が、前記ノブ取付部材４０に螺着される。
【００２９】
ノブ取付部材４０に螺着されたレール固定ノブ２０が直立状態になるように、回動するノブ取付部材４０はバネ４１により付勢される。レール固定ノブ２０が直立状態に付勢されている為、レール固定ノブ２０を溝部４ｄへ掛止し、或い、掛止解除する操作が容易であり、又、レール固定ノブ２０が溝部４ｄから外れると言った事故が起こりにくくい。
【００３０】
水平部材４は折り畳みできる構成であり、実施例を収納する時には、水平部材４を若干持ち上げ、レール固定ノブ２０を水平部材４の溝部４０から外し、水平部材４の掛止を解除する。取着具１０の軸２１を芯にして水平部材４を回動させて、垂直状態（＝折り畳み状態）にする。
【００３１】
レールホルダー３９は、固定パイプ６に設けられた角環状の金具であり、垂直状態にした水平部材４の先端に掛け止め、水平部材４を回動不自在にするものである。
【００３２】
昇降パイプ７の上部３６には、壁面当接部材１９が壁１８方向に突出して設けられる。壁面当接部材１９を壁１８に当接させておけば、壁１８に腰板２８等の凸部材があっても実施例は、背部方向に付いて安定する。
尚、壁面当接部材１９の他の取り付け例では、該壁面当接部材１９が固定パイプ６の背部に、壁１８に向かって突設される。
【００３３】
取着具１０の他の例では、昇降パイプ７の頂部に被せた取着具１０が昇降パイプ７と分解離脱可能に取着される。他の例の場合は、水平部材４を収納する時には、取着具１０及び水平部材４を垂直フレーム３から分解する。
【００３４】
水平部材４に水平移動部材５が、容易に摺動可能に外嵌取着される。水平移動部材５の左右両側に、水平部材４の延設方向とは直角方向にアタッチメント１１が設けられる。
【００３５】
アタッチメント１１に過負荷が加わると、アタッチメント１１が計測部筐体１２ａから外れる。
図６にアタッチメント１１を計測部筐体１２ａへ取り付ける具体例を示している。計測部筐体１２ａに面状ファスナー４４を貼着し、該面状ファスナー４４に掛止できる面状ファスナー４４をアタッチメント基部１１ａの取り付け面に貼着し、アタッチメント１１を着脱可能に計測部筐体１２ａに取り付ける。
【００３６】
図示を省略するが、面状ファスナー４４の代わりにマグネットを用いてもよい。或いは、計測部筐体１２ａに凹部を形成し、アタッチメント基部１１ａに前記凹部に着脱可能に嵌まる凸部を形成し、アタッチメント１１を着脱可能に計測部筐体１２ａに取り付けてもよい。
【００３７】
アタッチメント１１の他の例では、水平移動部材５の左側又は右側のいずれか一方にのみ脱着可能に設けられる。又、アタッチメント１１の他の例では、該アタッチメント１１が過負荷を受けた時、アタッチメント１１が計測部筐体１２ａの付け根部分で曲折又は回動する。
【００３８】
一具体例では、図示を省略するが、アタッチメント基部１１ａを、蝶番を用いて計測部筐体１２ａに取り付け、前記アタッチメント１１を、プランジャーを用いて左右に突出状に固定する。アタッチメント１１が過剰に押されると該アタッチメント１１は、押し方向に回動し退却する。
【００３９】
水平移動部材５の内部には、計測部１２が設けられる。計測部１２は、水平移動部材５と水平部材４の相対的な移動により回動して移動量を検出する回動部２４と、移動した量を計測する移動距離計測手段１３と、前記タイマー３７と、予め記憶された比較評価する基準値を記憶する基準値メモリ４２と、移動距離計測手段１３の出力を得て水平移動部材５の移動量をデジタル表示し、及び、その移動量（＝今回測定結果）と予め記憶された比較評価する基準値とを比較し、バランス機能に関する評価結果を表示するデジタル表示手段１４（＝具体例では液晶表示器）とでなる。
【００４０】
水平移動部材５の横側面に、測定を開始・終了を指示し、及び測定値を確定する操作スイッチ群１５と、前記デジタル表示手段１４とが設けられる。
【００４１】
操作スイッチ群１５には、計測値を確定する確定スイッチ１７が、アタッチメント１１の移動方向とは異なる方向に押して作動させる位置に設けられる。
更に操作スイッチ群１５は、電源スイッチ２７と、測定の開始を指示する開始スイッチ１６と、測定値の確定を指示する確定スイッチ１７と、表示値を過去の記憶値に変えたりクリアしたりする再表示スイッチ３８を有する。
【００４２】
水平部材４又は水平移動部材５が任意の位置で開始スイッチ１６を投入するとその位置が測定原点となる。
【００４３】
図２に示す回動部２４は、アタッチメント１１の移動に連動して回動するものであり、移動距離計測手段１３はアタッチメント１１の移動距離を計測するものであり、デジタル表示手段１４はアタッチメント１１の移動距離をデジタル表示するものである。
確定スイッチ１７は、手動測定とした場合の測定時に、被測定者がアタッチメント１１を移動し終わった時、介助者が測定値を確定するために押すスイッチである。
【００４４】
タイマー３７は、自動測定とした場合の測定時に、被測定者がアタッチメント１１を移動し終わった時、カウントを開始し所定時間（＝具体例では５秒）が経過する移動距離計測手段１３に測定値の確定信号を入れるタイマー３７である。尚、前述の所定時間は適宜な秒数（具体例では１〜３０秒）に設定を変更できる。（図３参照）
尚、開始スイッチ１６の操作で行なう原点リセット機能は、測定の開始機能を兼ねているが、更に、電源スイッチ２７の機能を兼用してもよい。
【００４５】
アタッチメント１１の移動距離をデジタル表示する前記デジタル表示手段１４は、詳しくは、複数回測定した値の平均値を表示するものである。
尚、デジタル表示手段１４には、操作スイッチ１５の操作により、水平移動部材５の現在位置を「現在値」で表示し、又は、水平移動部材５の移動後の確定位置（＝「確定値」）と測定回数が表示される。
更に、現在表示されている値が「平均値」か「現在値」か「確定値」かの別を示す記号も上記表示値に隣接して表示される。
【００４６】
実施例を使用して被測定者のバランス機能を測定する時は、実施例を壁１８の前に置く。被測定者は実施例に向かって所定位置に立つ。水平部材４に突設された壁面当接部材１９を、長さ調節し壁１８に当接させる。
尚、壁１８は立設された適宜な柱であってもよい。
【００４７】
昇降パイプ７を昇降させ高さを調節する。この時、フリーストップ機構４３が作用する。
即ち、介助者が昇降パイプ７を持ち上げ、又は押し下げ、被測定者に適当な高さ位置へ調節する。昇降パイプ７は、付勢部材９で押上げ方向に付勢され重力が補正されており、昇降パイプ７側に設けた摺動抵抗部材８及び摩擦部材３１による固定パイプ６への摺動抵抗で、昇降パイプ７はフリーストップ状態に止まる。水平部材４は片手でも高さ調節できる。
昇降パイプ７は、ガイドスペーサー３２にガイドされて揺れずに昇降する。
【００４８】
水平移動部材５を前記被測定者の肩峰の高さに、実施例を調節した後、被測定者が、手を水平挙上し、立っている定位置で、足を動かさないで、体幹を前傾し、右手又は左手のいずれかの手でアタッチメント１１の一片を押し、立位姿勢のバランスを崩す直前まで水平移動部材５を前方に移動させる。被測定者がバランスを崩す直前でアタッチメント１１から手を離す。
【００４９】
バランスが崩れるまでの手の移動距離が水平移動部材５の移動距離から測定できる。
ベース２は略Ｔ字状に形成されているので、測定中に、被測定者がバランスを崩して前に足を踏み出しても、前後方向脚フレーム２２ａが中央に有るので、前後方向脚フレーム２２ａを踏む可能性は少ない。
【００５０】
アタッチメント１１が所定時間停止すると停止時間を計測しているタイマー３７が所定信号を移動距離計測手段１３へ出力し、アタッチメント１１の移動に係る計測値が確定される。
尚、手動計測とした場合には、介助者は被測定者がアタッチメント１１を移動し終わった後に、確定スイッチ１７を押し、計測値を確定する。
確定スイッチ１７は、水平移動部材５の移動方向とは直角の方向に押すものであるから、確定スイッチ１７を押す時に測定値に誤差が加わわらない。
【００５１】
水平移動部材５の移動距離を、計測部１２の移動距離計測手段１３が計測する。
上記測定を複数回行ない、測定値の複数個の平均値をバランス機能値としてデジタル表示手段１４に表示する。
更に、デジタル表示手段１４は、測定終了後に、今回測定結果と、予め記憶された比較評価する基準値とを比較し、バランス機能に関する評価結果を表示する。
具体的には、上記バランス機能値（＝移動距離の今回測定値）に加えて、バランス機能に関する評価結果、例えば、バランス年齢（＝予め記憶した、移動距離と男・女別、年齢別の平均値を対応させたもの）を今回測定値に基づいて評価として表示する。
【００５２】
計測部筐体１２ａの左右にそれぞれ突設されたアタッチメント１１に過負荷が加わると該アタッチメント１１は、計測筐体１２ａから外れる。
【００５３】
尚、アタッチメント１１の付け根を可撓材で構成したものにあっては、アタッチメント１１は計測部筐体１２ａの付け根で曲折し、アタッチメント１１や計測部筐体１２ａ等の破損を防ぐ。
【００５４】
レール固定ノブ２０を水平部材４の後端部４ｂに掛かり止め、該後端部４ｂを下方へ押し付け、水平部材４を水平に保持する。レール固定ノブ２０を締めれば水平部材４の先部４ｃは上方へ動き、レール固定ノブ２０を緩めれば水平部材４の先部４ｃは下方へ動く。レール固定ノブ２０で水平部材４を水平になるよう調節する。
【００５５】
測定作業を終了したら、水平部材４を若干持ち上げ、レール固定ノブ２０を水平部材４の後端部４ｂから外し、先部４ｃを下方向へ回動させ、水平部材４を垂直にし、折り畳み、収納状態にする。
【００５６】
【発明の効果】
本発明は、長さ調節自在な垂直フレーム３は固定パイプ６に昇降パイプ７が内嵌されてなり、前記昇降パイプ７と固定パイプ６との間に、昇降パイプ７側に取着された摺動抵抗部材８が設けられるものであるから、固定パイプ６が不動状に固定されていれば、昇降パイプ７を片手で、長さを変更調節でき、手を離せばその位置で止まり、便利であり、好都合である。
【００５７】
又、摺動抵抗部材８を昇降パイプ７に設けたので、昇降パイプ７に傷が付かず、昇降パイプ７は、固定パイプ６から露出する部分の外観が良く、好都合である。
又、昇降パイプ７の表面に、潤滑油が付かないので該表面に当たっても潤滑油が付かず、潤滑油で手や衣服が汚れることは無く、好都合である。
更に、摺動抵抗部材８は薄板であるから、固定パイプ６を太くしなくて済み、安価化、軽量化が図れ、好都合である。
【００５８】
本発明は、水平部材４と床２６面間の高さを調節自在に構成し、垂直フレーム３の昇降パイプ７と固定パイプ６との間に、摺動抵抗部材８を昇降パイプ７側に設けたものであるから、昇降パイプ７を片手で、昇降でき、高さ調節ができ、手を離せばその位置で止まり、便利であり、又、被測定者毎の機器の測定準備が早くでき、好都合である。
【００５９】
又、前述した効果と同様に、摺動抵抗部材８を昇降パイプ７に設けたので、昇降パイプ７に傷が付かず外観が良く、好都合である。
又、昇降パイプ７に、潤滑油が付かず当たっても潤滑油で手や衣服が汚れることは無く、好都合である。更に、摺動抵抗部材８は薄板であるから、固定パイプ６を太くしなくて済み、安価、軽量化が図れ、好都合である。
【００６０】
本発明は、摺動抵抗部材８の摩擦側の面に摩擦部材３１が取着されたものであるから、耐磨耗性が向上し、又、潤滑油が不要であり潤滑油が衣服や皮膚に付かず汚れず、更に、擦れ音を無くし静音化が図れ、摩擦部材３１は固定パイプ６の内面に安定に接触でき摩擦抵抗の安定化が図れ、好都合である。
【００６１】
本発明は、固定パイプ６の内面に、ガイドスペーサー３２を設けたものであるから、昇降パイプ７のガタツキを無くすことができ、昇降パイプ７の抜けも止めることが出来、好都合である。
【００６２】
本発明は、計測部１２が停止するとタイマー３７が作動し、所定時間が経過すると自動的に計測値を確定するものであるから、計測値が自動的に確定し、介助者のスイッチ操作・による計測値のバラツキが排除でき、測定値の信頼性が高まり、又、測定値を確定する測定動作毎のスイッチ操作を省略でき、測定操作が簡易になり、好都合である。
【００６３】
本発明は、昇降パイプ７の頂部に取着された取着具１０の軸２１に、水平部材４の基方部が回動可能に軸支され、取着具１０に、水平部材４に掛け止め水平部材４を水平状態に調節・保持するレール固定ノブ２０が設けられ、水平部材４が垂下状態に折り畳み収納できるから、非使用時に水平部材４を垂下状態にしておけば、破損を免れ易く、収納時の省スペース化が図れ、好都合である。
【００６４】
又、レール固定ノブ２０により水平部材４を水平に調節できるうえ、該水平部材４を水平に保持でき、好都合である。
【００６５】
本発明は、計測を開始する開始スイッチ１６及び／又は計測値を確定する確定スイッチが、アタッチメント１１の移動方向とは異なる方向に押す位置に設けられたものであるから、これらのスイッチ操作で測定値に、誤差が加わわらず、悪影響を及ぼさず、好都合である。
【００６６】
本発明は、アタッチメント１１に過負荷が加わるとアタッチメント１１が、計測部筐体１２ａから外れるか、又は、曲折するので、被測定者がアタッチメント１１に当たって怪我をすることを防ぐことができて安全が図れ、又、本発明機器、計測部１２及びアタッチメント１１等の破損を防ぐことができて、好都合である。
【００６７】
本発明に係る計測部１２は、測定終了後に、今回測定結果、及び、今回測定結果と予め記憶された比較評価する基準値とを比較し、バランス機能に関する評価結果を表示するので、今回測定結果と評価とを見ることができ、診断を助けるものとなり、好都合である。
【００６８】
本発明に係るベース２の形状は、垂直フレーム３の下端から前方へ向かう前後方向脚フレーム２２ａと、垂直フレーム３の下端から左右方向に向かう左右方向脚フレーム２２ｂとで、略Ｔ字状に形成されるから、測定中に、被測定者が前に足を踏み出しても、前後方向脚フレーム２２ａが中央に有るので、前後方向脚フレーム２２ａを踏む可能性は少ない。それ故に足を怪我する心配が無く、又、前後方向脚フレーム２２ａに引っ掛かって機器を転倒させるという心配も無く、好都合である。
【図面の簡単な説明】
【図１】本発明の実施例の部分斜視図である。
【図２】本発明の実施例の垂直フレームの部分断面図である。
【図３】本発明の実施例のブロック図である。
【図４】本発明の実施例の斜視図である。
【図５】本発明の実施例の計測部を示す図である。
【図６】本発明の実施例のアタッチメントを示す図である。
【符号の説明】
２　ベース
３　垂直フレーム
４　水平部材
６　固定パイプ
７　昇降パイプ
８　摺動抵抗部材
１０　取着具
１１　アタッチメント
１２　計測部
１２ａ計測部筐体
１７　確定スイッチ
２０　レール固定ノブ
２１　軸
２２ａ　前後方向脚フレーム
２２ｂ　左右方向脚フレーム
２６　床
３１　摩擦部材
３２　ガイドスペーサー
３７　タイマー
【図１】
2004065303.tif 000003
【図２】
2004065303.tif 000004
【図３】
2004065303.tif 000005
【図４】
2004065303.tif 000006
【図５】
2004065303.tif 000007
【図６】
2004065303.tif 000008